(57)【要約】      （修正有）【課題】使用者が相手コネクタを挿入、離脱する操作が容易になる電気コネクタを提供する。【解決手段】相手コネクタと嵌合するための嵌合面１０と、該嵌合面を貫通して奥側まで延出する挿入空間とを備える電気コネクタ１００において、絶縁本体と、該絶縁本体に装着される複数の導電端子２と、前記絶縁本体を覆って前記絶縁本体と前記挿入空間を構成する金属板製のシェル３とを含み、前記シェルは、先端縁から折れ曲がって延出する連接片と、該連接片から外側へ延出する実装片３４４とを含み、前記実装片は、前記嵌合面に平行に配置されて、相手コネクタの挿入方向において前記嵌合面の奥側に位置して、前記実装片に孔が貫通するように形成される。【選択図】図３
0003169538.tif 000002
【実用新案登録請求の範囲】
【請求項１】
相手コネクタと嵌合するための嵌合面と、前記嵌合面を貫通して奥側まで延出する挿入空間と、を備える電気コネクタにおいて、
絶縁本体と前記絶縁本体とに装着される複数の導電端子と、前記絶縁本体を覆って前記絶縁本体と前記挿入空間とを構成する金属板製のシェルと、を含み、
前記シェルは、先端縁から折れ曲がって延出する連接片と、前記連接片から外側へ延出する実装片と、を含み、
前記実装片は、前記嵌合面に平行に配置されて、相手コネクタの挿入方向において前記嵌合面の奥側に位置して、
前記実装片に孔が貫通するように形成されることを特徴とする電気コネクタ。
【請求項２】
前記シェルの連接片は、前記シェルの先端縁から折れ曲がっている折曲片と、前記折曲片と前記実装片とを連接し、相手コネクタの挿入方向に沿って延出する延出片と、を含むことを特徴とする請求項１に記載の電気コネクタ。
【請求項３】
前記実装片は、前記延出片に直交するように配置されることを特徴とする請求項２に記載の電気コネクタ。
【請求項４】
前記シェルは、前記挿入空間を構成する天板と、底板と、前記天板と底板とを連接する両側板と、を含み、前記連接片の前記折曲片が前記側板の先端から延出することを特徴とする請求項２又は３に記載の電気コネクタ。
【請求項５】
前記連接片の延出片は、前記シェルの側板に平行に配置されることを特徴とする請求項４に記載の電気コネクタ。
【請求項６】
前記シェルの両側板には前記挿入空間向きに延出する弾性片がそれぞれ設けられ、前記延出片が前記弾性片に対向するように配置され、相手コネクタの挿入による前記弾性片の過度の変形を防止できることを特徴とする請求項４又は５に記載の電気コネクタ。
【請求項７】
前記電気コネクタは、ＤｉｉＶＡ規格に符合するものであり、前記実装片には柱状部が突出するように形成され、前記孔が前記柱状部を貫通して形成されることを特徴とする請求項１から６のいずれか１項に記載の電気コネクタ。
【考案の詳細な説明】
【技術分野】
【０００１】
本考案は、電気コネクタに関して、特に、シールド用の金属板からなるシェルを有する電気コネクタに関する。
【背景技術】
【０００２】
従来技術の電気コネクタは、特許文献１に示すように、絶縁本体と、絶縁本体に装着される複数の導電端子と、絶縁本体を覆う金属板からなるシェルと、を含み、絶縁本体は、基部と、基部から前向きに延出する端子台と、を含む。前記シェルには絶縁本体の端子台の周囲を包囲する挿入空間が形成され、シェルの先端面には挿入空間に連通する挿入口が形成される。前記シェルは、底板と、天板と、底板と天板とを連接する両側板と、を含み、シェルには両側板の先端縁から外側へ直交するように延出するカム板が設けられ、前記各カム板には貫通孔が形成され、電気コネクタが電子設備に実装される時に、ボルトが貫通孔を貫通することによって、電気コネクタを電子設備に安定して保持する。
【先行技術文献】
【特許文献】
【０００３】
【特許文献１】中国実用新案公告第２９０９５７４号明細書
【考案の概要】
【考案が解決しようとする課題】
【０００４】
しかしながら、前記シェルのカム板は、両側板から外側ヘの向きに直交するようにそれぞれ延出して前記カム板が挿入口とほぼ同じ面に位置するので、相手コネクタの挿入方向において前記挿入空間を電子設備のパネルから遠離させ、使用者が相手コネクタを挿入、離脱する操作が不便である。
【０００５】
本考案は、使用者が相手コネクタを挿入、離脱する操作が容易な電気コネクタを提供することを目的とする。
【課題を解決するための手段】
【０００６】
本考案の相手コネクタと嵌合するための嵌合面と、前記嵌合面を貫通して奥側まで延出する挿入空間と、を備える電気コネクタにおいて、絶縁本体と、前記絶縁本体に装着される複数の導電端子と、前記絶縁本体を覆って前記絶縁本体と前記挿入空間とを構成する金属板製のシェルと、を含み、前記シェルは、先端縁から折れ曲がって延出する連接片と、前記連接片から外側へ延出する実装片と、を含み、前記実装片は、前記嵌合面に平行に配置されて、相手コネクタの挿入方向において前記嵌合面の奥側に位置して、前記実装片に孔が貫通するように形成されることを特徴とする。
【考案の効果】
【０００７】
従来技術に比べ、本考案の電気コネクタは、以下の利点を有する。前記実装片は、相手コネクタの挿入方向において前記嵌合面の奥側に位置するので、前記嵌合面と挿入空間とを電子設備のパネルの外側に隣接させ、使用者が相手コネクタを挿入、離脱する操作が容易になる。
【図面の簡単な説明】
【０００８】
【図１】本考案に係る電気コネクタの組立斜視図である。
【図２】図１に示す電気コネクタのほかの角度から見た組立斜視図である。
【図３】図２に示す電気コネクタの平面図である。
【図４】本考案に係る電気コネクタの分解斜視図である。
【図５】図４に示す電気コネクタのほかの角度から見た分解斜視図である。
【考案を実施するための形態】
【０００９】
以下、図１〜図５を参照し、本考案の電気コネクタ１００の実施形態について、添付図面を参照して説明する。電気コネクタ１００は、回路基板に実装されるDiiVA（Digital Interactive Interface for Video & Audio）規格に符合するものである。該電気コネクタ１００は、絶縁本体１と、絶縁本体１に保持される複数の導電端子２と、絶縁本体１を覆う金属板からなるシェル３と、を含み、前記シェル３は、絶縁本体１を包囲して挿入空間１５を形成し、且つ、電気コネクタ１００にはシェル３の先端縁で相手コネクタが挿入される嵌合面１０が形成され、嵌合面１０には相手コネクタが貫通して前記挿入空間１５に連通する挿入口が形成される。
【００１０】
前記絶縁本体１は、基部１１と、基部１１から前向きに延出して前記挿入空間１５に位置する端子台１２と、を含み、前記端子台１２は、上壁１２１と、上壁１２１に対向する下壁１２２と、を含む。前記上壁１２１には複数の端子溝１２３が設けられ、基部１１には前記端子溝１２３に連接する保持溝１１３が形成される。基部１１の後端では複数の凸状リブ１１４が突出し、凸状リブ１１４同士の間には制限溝１１５が形成される。基部１１の後端の四つの隅には凸部１１６がそれぞれ形成され、且つ、基部１１の側部には凹部１１８が窪んで形成される。
【００１１】
複数の導電端子２は、１３本形成されており、５本のグランド端子２５と四つの差動信号端子ペアとを含み、四つの差動信号端子ペアは、第１差動信号端子ペア２１と、第２差動信号端子ペア２２と、第３差動信号端子ペア２３と、第４差動信号端子ペア２４と、を含む。各差動信号端子ペアは、＋信号端子と−信号端子とで構成される。複数の導電端子２において、順に、グランド端子２５、第１差動信号端子ペア２１、グランド端子２５、第２差動信号端子ペア２２、グランド端子２５、第３差動信号端子ペア２３、グランド端子２５、グランド端子２５、及び第４差動信号端子ペア２４が前記端子台１２に配置される。
【００１２】
構造から言うと、各導電端子２は、端子溝１２３に収容される平板状の接触部２６と、接触部２６の一端から後向きに延出して保持溝１１３に保持される保持部２７と、保持部２７に直交するように延出して制限溝１１５に保持される制限部２８と、制限部２８に連接し絶縁本体１から突出する半田部２９と、を含み、半田部２９は、電子設備の回路基板に平行に配置される。前記接触部２６は、挿入空間１５で露出し、あらゆる接触部２６が端子台１２の上壁に配置されるので、端子台１２の厚さを薄くすることに有利である。
【００１３】
シェル３は、金属板を用いて一体に成型され、天板３１と、底板３２と、天板３１と底板３２とを連接する両側板３３と、側板３３の先端縁から延出する取付片３４と、を含み、前記シェル３の天板３１と底板３２と両側板３３とは、前記絶縁本体１を収容するための収容空間３５を構成する。前記天板３１と底板３２とには前記挿入空間１５へ延出する弾性片がそれぞれ形成され、天板３１と底板３２との先端縁には相手コネクタの挿入を案内するためのガイド片３１１及び３２１がそれぞれ外側へ折れ曲がって延出している。天板３１と底板３２との後端縁では保持片３１２及び３２２がそれぞれ延出するとともに、底板３２には相手コネクタに係合するための係合部３２３が形成され、側板３３には前記絶縁本体１の凹溝１１８に係合する弾性アーム３３３が形成される。
【００１４】
絶縁本体１の基部１１の底部にはベース１１９が下向きに突出するように設けられ、ベース１１９がシェル３の底壁３２に当接し、ベース１１９の底部はシェル３の底壁３２と同じ平面に位置して、且つ、導電端子２の半田部２９がベース１１９に当接している。
【００１５】
取付片３４は、電気コネクタ１００を電子設備のパネルに保持することが実現でき、連接片３４１と、連接片３４１から相手コネクタの挿入方向に直交して電気コネクタ１００から遠離する方向に延出する実装片３４４と、を含む。前記連接片３４１は、側板３３の先端縁から折れ曲がっている折曲片３４２と、折曲片３４２から相手コネクタの挿入方向に沿って延出する延出片３４３と、を含み、前記延出片３４３と側板３３とは、所定の距離の間隔を有して相手コネクタの挿入方向に平行に配置され、且つ、延出片３４３が各側板３３における弾性片に対向するように配置されるので、弾性片の過度な変形を防止できる。
【００１６】
実装片３４４は、前記延出片３４３に直交するように電気コネクタの嵌合面１０に平行に配置され、相手コネクタの挿入方向へ突出する柱状部３４５と、柱状部３４５を貫通するように形成される孔３４６と、を含み、電気コネクタ１００が電子設備に実装される時に、ボルトが電子設備のパネル及び孔３４６を貫通することによって、電気コネクタ１００が電子設備に実装される。実装片３４４は、嵌合面１０の相手コネクタの挿入方向における奥側に位置し、実装片３４４から嵌合面１０までの距離は、延出片３４３の長さとほぼ等しいので、嵌合面１０と挿入空間１５を電子設備のパネルに隣接させ、使用者が相手コネクタを挿入することが容易になる。
【００１７】
以上本考案について最良の実施の形態を参照して詳細に説明したが、実施形態はあくまでも例示的なものであり、これらに限定されない。また上述の説明は、本考案に基づきなしうる細部の修正或は変更など、いずれも本考案の請求範囲に属するものとする。
【符号の説明】
【００１８】
１００  電気コネクタ
１  絶縁本体
１１  基部
１２  端子台
２  導電端子
３  シェル
３１  天板
３２  底板
３３  側板
３４  取付片
３４１  連接片
３４２  折曲片
３４３  延出片
３４２  実装片
【図１】
0003169538.tif 000003
【図２】
0003169538.tif 000004
【図３】
0003169538.tif 000005
【図４】
0003169538.tif 000006
【図５】
0003169538.tif 000007